(57)【要約】【課題】浄水場において、取水源の水質変動などによってオゾン注入制御パラメータの変更が必要となった場合に、パラメータ調整を適切に支援する。【解決手段】オゾン注入制御パラメータ調整支援システムは、水質データおよび設定条件データに基づいて、オゾン反応処理プロセスを理論的モデルによりシミュレーションするオゾン反応処理シミュレータ２と、オゾン反応処理プロセスのシミュレーション結果に基づいて、オゾン注入制御をシミュレーションするオゾン注入制御シミュレータ５と、オゾン注入制御のシミュレーション結果から、実プラントにオゾンを注入するための適切なオゾン注入制御パラメータを出力する制御パラメータ出力部１３とを備える。【選択図】      図１
2008055351.tif 000002
【特許請求の範囲】
【請求項１】
オゾン反応処理プロセス前後の水質データを入力する水質データ入力手段と、
前記オゾン反応処理プロセスのシミュレーションのための設定条件データを入力する設定条件入力手段と、
前記水質データおよび前記設定条件データに基づいて、前記オゾン反応処理プロセスを理論的モデルによりシミュレーションするオゾン反応処理シミュレータと、
前記オゾン反応処理プロセスのシミュレーション結果に基づいて、オゾン注入制御をシミュレーションするオゾン注入制御シミュレータと、
前記オゾン注入制御のシミュレーション結果から、実プラントにオゾンを注入するための適切なオゾン注入制御パラメータを出力する手段と
を備えたことを特徴とするオゾン注入制御パラメータ調整支援システム。
【請求項２】
請求項１に記載のオゾン注入制御パラメータ調整支援システムにおいて、
前記水質データ入力手段は、実プラントの水質測定機器から水質データを読み込み、
前記オゾン反応処理シミュレータは、実プラントにおけるオゾン反応処理プロセスをリアルタイムにシミュレーションする
ことを特徴とするオゾン注入制御パラメータ調整支援システム。 
【請求項３】
請求項１または請求項２に記載のオゾン注入制御パラメータ調整支援システムにおいて、
実プラントの水質データや運転データを記憶するデータ記憶手段をさらに備え、
前記水質データ入力手段は、前記データ記憶手段から必要なデータを読み込み、
前記オゾン反応処理シミュレータは、実プラントの過去のオゾン反応処理プロセスをシミュレーションする
ことを特徴とするオゾン注入制御パラメータ調整支援システム。
【請求項４】
請求項１乃至請求項３のいずれか１項に記載のオゾン注入制御パラメータ調整支援システムにおいて、
外部の遠方端末装置とアクセスする手段をさらに備え、
前記各シミュレータを、複数のユーザが利用できるようにした
ことを特徴とするオゾン注入制御パラメータ調整支援システム。 
【請求項５】
請求項１乃至請求項４のいずれか１項に記載のオゾン注入制御パラメータ調整支援システムにおいて、
前記オゾン注入制御シミュレータは、
前記実プラントの水質データや運転データを用いて定期的にオゾン注入制御のシミュレーションを実行する手段と、
前記オゾン注入制御パラメータの変更を要する場合に警告を発する手段と
を備えたことを特徴とするオゾン注入制御パラメータ調整支援システム。 
【請求項６】
請求項１乃至請求項５のいずれか１項に記載のオゾン注入制御パラメータ調整支援システムにおいて、
前記オゾン注入制御のシミュレーション結果を元に、適切なオゾン注入制御パラメータを算出して出力する手段
をさらに備えたことを特徴とするオゾン注入制御パラメータ調整支援システム。
【請求項７】
請求項１乃至請求項６のいずれか１項に記載のオゾン注入制御パラメータ調整支援システムにおいて、
実プラントの水質データや運転データを利用して、オゾン反応処理プロセスの理論的モデルのパラメータを自動的に修正する手段
をさらに備えたことを特徴とするオゾン注入制御パラメータ調整支援システム。 
【請求項８】
請求項１乃至請求項７のいずれか１項に記載のオゾン注入制御パラメータ調整支援システムにおいて、
前記オゾン反応処理プロセスに活性炭吸着プロセスのモデルを付加し、
前記活性炭吸着処理後の処理水の水質データに基づき、適切なオゾン注入制御パラメータを出力する手段
をさらに備えたことを特徴とするオゾン注入制御パラメータ調整支援システム。  
【請求項９】
請求項１乃至請求項８のいずれか１項に記載のオゾン注入制御パラメータ調整支援システムにおいて、
前記オゾン反応処理プロセスに生物処理プロセスのモデルを付加し、
前記生物処理後の処理水の水質データに基づき、適切なオゾン注入制御パラメータを出力する手段
をさらに備えたことを特徴とするオゾン注入制御パラメータ調整支援システム。
【請求項１０】
請求項８または請求項９に記載のオゾン注入制御パラメータ調整支援システムにおいて、
前記活性炭吸着塔のろ抗上昇速度の評価を行ない、適切なオゾン注入制御パラメータを出力する手段
をさらに備えたことを特徴とするオゾン注入制御パラメータ調整支援システム。
【発明の詳細な説明】
【技術分野】
【０００１】
本発明は、浄水場において、取水源の水質変動などによってオゾン注入制御パラメータの変更が必要となった場合に、オゾン反応処理プロセスの理論的モデルに基づいたシミュレーションにより、パラメータ調整を適切に支援し得るオゾン注入制御パラメータ調整支援システムに関する。
【背景技術】
【０００２】
近年、浄水場においてオゾン高度処理を導入している機場がある。このオゾン高度処理では、オゾンを注入することにより、トリハロメタンや異臭味の原因となる有機物の分解する。
【０００３】
しかしながら、オゾン高度処理においては、オゾンが過剰注入されると有害な酸化副生成物質が生成される。
【０００４】
そこで、オゾン高度処理を導入している機場では、オゾン注入率や溶存オゾン濃度を一定にしたり、蛍光強度の残存率を一定にしたりする制御が行なわれる。
【０００５】
なお、このような制御のために、ネットワーク回線を用いて水処理プロセスに関する複雑な相互関係を数値計算し、水処理プロセスの維持管理の効率向上を可能とする水処理プロセスの支援システムが導入される場合がある（例えば、特許文献１参照）。
【特許文献１】特開２００４−２６７８６５号公報
【発明の開示】
【発明が解決しようとする課題】
【０００６】
しかしながら、季節や経年変化などによって水源の水質が変動すると、オゾン反応処理プロセスが変化する。このため、適切に調整していたオゾン注入制御が追従できず、制御結果が発散や振動したりして、一定値に収束しない場合がある。このような場合には、制御パラメータを再調整する必要がある。
【０００７】
再調整に係る制御パラメータは、実プラントを用いた応答試験の結果に基づいて決定される。ところが、この作業は、知識や経験が必要であり、応答試験に手間も掛かるという問題がある。
【０００８】
本発明は上記実情に鑑みてなされたもので、浄水場において、取水源の水質変動などによってオゾン注入制御パラメータの変更が必要となった場合に、オゾン反応処理プロセスの理論的モデルに基づいたシミュレーションにより、パラメータ調整を適切に支援し得るオゾン注入制御パラメータ調整支援システムを提供することを目的とする。
【課題を解決するための手段】
【０００９】
本発明は上記課題を解決するために以下の手段を講じる。
【００１０】
請求項１に対応する発明は、オゾン反応処理プロセス前後の水質データを入力する水質データ入力手段と、前記オゾン反応処理プロセスのシミュレーションのための設定条件データを入力する設定条件入力手段と、前記水質データおよび前記設定条件データに基づいて、前記オゾン反応処理プロセスを理論的モデルによりシミュレーションするオゾン反応処理シミュレータと、前記オゾン反応処理プロセスのシミュレーション結果に基づいて、オゾン注入制御をシミュレーションするオゾン注入制御シミュレータと、前記オゾン注入制御のシミュレーション結果から、実プラントにオゾンを注入するための適切なオゾン注入制御パラメータを出力する手段とを備えたオゾン注入制御パラメータ調整支援システムである。
【００１１】
請求項２に対応する発明は、請求項１に対応するオゾン注入制御パラメータ調整支援システムにおいて、前記水質データ入力手段は、実プラントの水質測定機器から水質データを読み込み、前記オゾン反応処理シミュレータは、実プラントにおけるオゾン反応処理プロセスをリアルタイムにシミュレーションするオゾン注入制御パラメータ調整支援システムである。
【００１２】
請求項３に対応する発明は、請求項１または請求項２に対応するオゾン注入制御パラメータ調整支援システムにおいて、実プラントの水質データや運転データを記憶するデータ記憶手段をさらに備え、前記水質データ入力手段は、前記データ記憶手段から必要なデータを読み込み、前記オゾン反応処理シミュレータは、実プラントの過去のオゾン反応処理プロセスをシミュレーションするオゾン注入制御パラメータ調整支援システムである。
【００１３】
請求項４に対応する発明は、請求項１乃至請求項３のいずれか１項に対応するオゾン注入制御パラメータ調整支援システムにおいて、外部の遠方端末装置とアクセスする手段をさらに備え、前記各シミュレータを、複数のユーザが利用できるようにしたオゾン注入制御パラメータ調整支援システムである。
【００１４】
請求項５に対応する発明は、請求項１乃至請求項４のいずれか１項に対応するオゾン注入制御パラメータ調整支援システムにおいて、前記オゾン注入制御シミュレータは、前記実プラントの水質データや運転データを用いて定期的にオゾン注入制御のシミュレーションを実行する手段と、前記オゾン注入制御パラメータの変更を要する場合に警告を発する手段とを備えたオゾン注入制御パラメータ調整支援システムである。
【００１５】
請求項６に対応する発明は、請求項１乃至請求項５のいずれか１項に対応するオゾン注入制御パラメータ調整支援システムにおいて、前記オゾン注入制御のシミュレーション結果を元に、適切なオゾン注入制御パラメータを算出して出力する手段をさらに備えたオゾン注入制御パラメータ調整支援システムである。
【００１６】
請求項７に対応する発明は、請求項１乃至請求項６のいずれか１項に対応するオゾン注入制御パラメータ調整支援システムにおいて、実プラントの水質データや運転データを利用して、オゾン反応処理プロセスの理論的モデルのパラメータを自動的に修正する手段をさらに備えたオゾン注入制御パラメータ調整支援システムである。
【００１７】
請求項８に対応する発明は、請求項１乃至請求項７のいずれか１項に対応するオゾン注入制御パラメータ調整支援システムにおいて、前記オゾン反応処理プロセスに活性炭吸着プロセスのモデルを付加し、前記活性炭吸着処理後の処理水の水質データに基づき、適切なオゾン注入制御パラメータを出力する手段をさらに備えたオゾン注入制御パラメータ調整支援システムである。
【００１８】
請求項９に対応する発明は、請求項１乃至請求項８のいずれか１項に対応するオゾン注入制御パラメータ調整支援システムにおいて、前記オゾン反応処理プロセスに生物処理プロセスのモデルを付加し、前記生物処理後の処理水の水質データに基づき、適切なオゾン注入制御パラメータを出力する手段をさらに備えたオゾン注入制御パラメータ調整支援システムである。
【００１９】
請求項１０に対応する発明は、請求項８または請求項９に対応するオゾン注入制御パラメータ調整支援システムにおいて、前記活性炭吸着塔のろ抗上昇速度の評価を行ない、適切なオゾン注入制御パラメータを出力する手段をさらに備えたオゾン注入制御パラメータ調整支援システムである。
【００２０】
＜作用＞
従って、本発明は以上のような手段を講じたことにより、以下の作用を有する。
【００２１】
請求項１に対応する発明は、オゾン反応処理プロセスの理論的モデルによるオゾン反応処理シミュレータとオゾン注入制御シミュレータとを組み合わせているので、水源水質などの変化を入力条件として与えることにより、シミュレーションの結果を解析・評価しながら適切なオゾン注入制御パラメータを迅速且つ簡便に決定することができる。
【００２２】
請求項２に対応する発明は、請求項１に対応する作用に加え、実プラントの水質測定機器からのデータなどをオンラインで取り込むので、複雑なパラメータや条件設定を入力することなく、現時点でのプラントの状態に合わせたシミュレーションを行なうことができる。
【００２３】
請求項３に対応する発明は、請求項１・２に対応する作用に加え、データ記憶手段に記憶されている実プラントに関するデータを利用して過去の状態に遡ってシミュレーションするので、類似の環境条件や今後を予測したシミュレーションを行なうことができる。
【００２４】
請求項４に対応する発明は、請求項１〜３に対応する作用に加え、インターネットなどにアクセスする手段を備えているので、シミュレーションシステムを各機場ではなく中央監視センターに置くことにより、複数のユーザの遠隔利用を実現することができる。
【００２５】
請求項５に対応する発明は、請求項１〜４に対応する作用に加え、実プラントの水質データや運転データを利用して定期的にシステム側でシミュレーションを行ない、現在のオゾン注入制御パラメータを変更する必要がある場合には警告を発するので、オゾン注入制御パラメータが不適切な場合、その旨をユーザに知らせることができる。
【００２６】
請求項６に対応する発明は、請求項１〜５に対応する作用に加え、シミュレーションの結果から適切と思われるオゾン注入制御パラメータを出力するので、パラメータの変更をユーザに促がすことができる。
【００２７】
請求項７に対応する発明は、請求項１〜６に対応する作用に加え、実プラントの水質データや運転データを読み込んで、理論的モデルのパラメータを実際のプロセスに自動的にチューニングして合わせるので、より精度の高いシミュレーションを行なうことができる。
【００２８】
請求項８に対応する発明は、請求項１〜７に対応する作用に加え、オゾン反応処理プロセスの理論的シミュレータに、活性炭吸着反応プロセスのモデルを組み合わせているので、オゾン＋活性炭の高度処理プロセスの全体の処理状態から、オゾン注入制御パラメータを評価・検討することができる。
【００２９】
請求項９に対応する発明は、請求項１〜請求項８に対応する作用に加え、オゾン反応処理プロセスに生物処理プロセスのモデルを付加し、生物処理後の処理水の水質データに基づき、適切なオゾン注入制御パラメータを出力する手段を備えているので、オゾン＋生物の高度処理プロセスの全体の処理状態から、オゾン注入制御パラメータを評価・検討することができる。
【００３０】
請求項１０に対応する発明は、請求項８・９に対応する作用に加え、オゾン反応処理プロセスの理論的シミュレータに、活性炭吸着または生物処理プロセスのモデルが組み合わされるので、活性炭吸着処理プロセスのろ抗上昇傾向から、オゾン注入制御パラメータを評価・検討することができる。
【発明の効果】
【００３１】
本発明によれば、浄水場において、取水源の水質変動などによってオゾン注入制御パラメータの変更が必要となった場合に、パラメータ調整を適切に支援することができる。
【発明を実施するための最良の形態】
【００３２】
以下、図面を参照して本発明の実施形態を説明する。
【００３３】
＜第1の実施形態＞
（１−１．構成）
図１は本発明の第１の実施形態に係るオゾン注入制御パラメータ調整支援システムの構成を示す模式図である。
【００３４】
オゾン注入制御パラメータ調整支援システムは、水質データ入力部１とオゾン反応処理プロセスシミュレータ２・プロセスシミュレータ条件入力部３・シミュレーション結果出力部４・オゾン注入制御シミュレータ５・制御パラメータ入力部６・水質測定機器７・実プラントデータ記憶部８・センター通信システム９・遠方通信システム１０・遠方端末装置１１・警報システム１２・制御パラメータ出力部１３・プロセスモデル調整部１４・活性炭吸着シミュレータ１５・活性炭シミュレータ調整部１６・活性炭シミュレータ条件入力部１７・活性炭データ入力部１８とを備えている。
【００３５】
水質データ入力部１は、オゾン反応処理プロセスシミュレータ２に必要となる被処理水や処理水の水質データなどを入力するものである。
【００３６】
オゾン反応処理プロセスシミュレータ２は、被処理水に含まれる成分とオゾンやオゾンによる酸化処理などから生成される成分などとの複雑な反応経路と、それらの反応速度式などから理論的に処理水に含まれる成分と濃度とを演算するものである。
【００３７】
具体的には、オゾン反応処理プロセスシミュレータ２は、反応経路の理論的モデルに基づいて、シミュレーションを行なう。図２はオゾン反応処理プロセスシミュレータ２の反応経路の一部を例示した模式図である。全体の反応経路には有機物なども含まれ、非常に複雑なものである。オゾン反応処理プロセスシミュレータ２は、このような反応経路を元に、オゾン処理によって分解や生成される物質の連鎖反応を解析し、おのおのの反応速度式より処理水に最終的に残留する物質の成分や濃度を算出する。
【００３８】
なお、オゾン反応処理プロセスのシミュレーションに必要な設定条件データは、後述するプロセスシミュレータ条件設定入力部３により入力される。
【００３９】
プロセスシミュレータ条件入力部３は、滞留時間や接触効率、物質移動などといったプロセスの物理的なパラメータを設定条件データとして入力するためのものである。
【００４０】
シミュレーション結果出力部４は、オゾン反応処理プロセスシミュレータ２のシミュレーション結果を出力するものである。
【００４１】
オゾン注入制御シミュレータ５は、実プラントにおけるオゾン注入制御を模擬するものであり、オゾン注入率を演算してオゾン反応処理プロセスシミュレータ２に結果を渡す機能を有している。これにより、オゾン注入率の変化に伴ってオゾン反応槽内や処理水の性状が変化する状況を検討することができる。
【００４２】
制御パラメータ入力部６は、オゾン注入制御シミュレータ５の制御パラメータを調整するものであり、制御パラメータの変更後にオゾン反応処理プロセスシミュレータ２で処理水質などを評価する機能を有している。これにより、適切な制御パラメータを試行しながら処理水質を検討することができる。
【００４３】
なお、この制御パラメータ入力部６により制御パラメータをオゾン注入制御シミュレータ５に読み込ませ、後述する水質測定機器７や実プラントデータ記憶部８のデータを水質データ入力部１によりオゾン反応処理プロセスシミュレータ２に読み込ませて、オゾン反応処理プロセスシミュレータ２とオゾン注入制御シミュレータ５とによって定期的に制御性を評価すれば、シミュレーション結果の値が予め設定した閾値を超えた場合に、浄水場のオペレータに向けて警報を発する警報システムを構築することもできる。
【００４４】
水質測定機器７は、オゾン反応処理プロセスシミュレータ２を現在のプラントの状況に合わせた条件で評価可能とするため、オンラインで水質データ入力部１に測定データを送るものである。
【００４５】
実プラントデータ記憶部８は、過去の水質や制御パラメータでのシミュレーション結果を記憶しておくものである。
【００４６】
センター通信システム９と遠方通信システム１０・遠方端末装置１１とは、中央監視センターに設置されたシミュレータに、遠方からアクセスしてシミュレーションによる検討を可能とするものである。なお、中央監視センターへのアクセスは特定の浄水場を対象とする以外にも、多機場から同じシミュレータを使った評価ができても良い。
【００４７】
制御パラメータ出力部１３は、オゾン注入制御シミュレータ５によりシミュレーションした制御パラメータを出力するものである。
【００４８】
活性炭吸着シミュレータ１５は、オゾン処理と組み合わせて設置される活性炭吸着槽の処理プロセスをシミュレーションするものである。この活性炭吸着シミュレータ１５により、総合的な処理水質の評価を行なうことが可能となる。
【００４９】
活性炭シミュレータ調整部１６は、吸着や生物分解の反応をシミュレーションするパラメータを調整するための装置である。
【００５０】
活性炭シミュレータ条件入力部１７は、滞留時間や上向流速などの物理条件を調整するための装置である。
【００５１】
活性炭データ入力部１８は、水質測定機器７や実プラントデータ記憶部８からシミュレータにデータを入力するための装置である。
【００５２】
（１−２．動作）
次に本実施形態に係るオゾン注入制御パラメータ調整支援システムの動作を図３のフローチャートを用いて説明する。
【００５３】
始めに、水質データ入力部１により処理水等の水質データが入力される（ステップＳ１）。ここでは、プラントに設置された水質測定機器７からオンラインにより水質の測定データが入力される。
【００５４】
続いて、プロセスシミュレータ条件入力部３により、オゾン反応処理プロセスに必要な設定条件データが入力される。具体的には、滞留時間や接触効率、物質移動などといった物理的なパラメータが設定条件データとして入力される（ステップＳ２）。
【００５５】
それから、オゾン反応処理シミュレータ２により、水質データおよび設定条件データに基づいて、オゾン反応処理プロセスがシミュレーションされる（ステップＳ３）。そして、このオゾン反応処理プロセスのシミュレーションの結果、処理水等に含まれる物質の成分と濃度とが理論的に求められる。
【００５６】
続いて、オゾン反応処理プロセスのシミュレーション結果に基づいて、制御パラメータ入力部６を介して、オゾン注入制御シミュレータ５の制御パラメータが調整される（ステップＳ４）。
【００５７】
次に、制御パラメータとオゾン注入率とがオゾン注入制御シミュレータ５に設定され、オゾン注入制御のシミュレーションが実行される（ステップＳ５）。この際、オゾン注入率が適当な値となるように設定される（ステップＳ６）。
【００５８】
また、処理水質データが予め設定された値を示すまで、制御パラメータが変更される（ステップＳ７−Ｎｏ）。そして、処理水質データが適当な値を示した時の制御パラメータが、適切なオゾン注入制御パラメータとして制御パラメータ出力部１３により出力される（ステップＳ７−Ｙｅｓ，Ｓ８）。
【００５９】
（１−３．効果）
以上説明したように本実施形態に係るオゾン注入制御パラメータ調整支援システムは、オゾン反応処理プロセスシミュレータ２とオゾン注入制御シミュレータ５とが組み合わされているので、浄水場において、取水源の水質変動などによってオゾン注入制御パラメータの変更が必要となった場合に、パラメータ調整を適切に支援することができる。
【００６０】
すなわち、水源水質などの変化を入力条件として与えることにより、シミュレーションの結果を解析・評価しながら適切なオゾン注入制御パラメータを迅速且つ簡便に決定することができる。また、オゾン注入の変化に対するプロセスの処理状況などを評価できるので、実際のプラントを用いた難易で時間のかかる試験を行なうことなく、簡便に短時間で制御の応答性や処理状態の評価を行なうことができる。
【００６１】
また、本実施形態に係るオゾン注入制御パラメータ調整支援システムでは、水質測定機器７や実プラントデータ記憶部８からシミュレーションに必要となるデータを、水質データ入力部１や制御パラメータ入力部１３を介してシミュレータに入力できる。これにより、過去や現在の実際のデータを利用して、実プロセスに近いシミュレーションを行なうことができる。
【００６２】
更に、センター通信システム９と遠方通信システム１０・遠方端末装置１１・警報システム１２とによって、時間と場所とを選ばずにシミュレーションを実行することができる。このほか、実プラントデータ記憶部８のデータを利用して遠方で定期的にシミュレーションを行ない、制御の不具合を検出して警報を出すなどのサービスを提供することもできる。
【００６３】
また、本実施形態に係るオゾン注入制御パラメータ調整支援システムでは、実プラントの水質測定機器７からのデータをオンラインで取り込むので、複雑なパラメータや設定条件を入力することなく、現時点でのプラントの状態に合わせたシミュレーションを行なうことができる。
【００６４】
さらに、本実施形態に係るオゾン注入制御パラメータ調整支援システムは、実プラントの水質データや運転データを読み込んで、理論的モデルのパラメータを実際のプロセスに自動的にチューニングして合わせるので、より精度の高いシミュレーションを行なうことができる。
【００６５】
なお、浄水場では、オゾン処理だけでなく、活性炭吸着処理も利用される。そこで、活性炭吸着シミュレータ１５とオゾン反応処理プロセスシミュレータ２とを組み合わせたシミュレータによる処理を評価することにより、オゾン反応処理プロセスの処理状況に対する活性炭吸着への影響や、オゾン注入量の低減の評価なども検討可能となり、省エネルギー・省コスト運転を検討することも可能となる。
【００６６】
＜その他＞
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００６７】
【図１】本発明の第１の実施形態に係るオゾン注入制御パラメータ調整支援システムの構成を示す模式図である。
【図２】同実施形態に係るオゾン反応処理プロセスシミュレータの反応経路の一部を例示した模式図である。
【図３】同実施形態に係るオゾン注入制御パラメータ調整支援システムの動作を説明するためのフローチャートである。
【符号の説明】
【００６８】
１・・・水質データ入力部、２・・・オゾン反応処理プロセスシミュレータ、３・・・プロセスシミュレータ条件入力部、４・・・シミュレーション結果出力部、５・・・オゾン注入制御シミュレータ、６・・・制御パラメータ入力部、７・・・水質測定機器、８・・・実プラントデータ記憶部、９・・・センター通信システム、１０・・・遠方通信システム、１１・・・遠方端末装置、１２・・・警報システム、１３・・・制御パラメータ出力部、１４・・・プロセスモデル調整部、１５・・・活性炭吸着シミュレータ、１６・・・活性炭シミュレータ調整部、１７・・・活性炭シミュレータ条件入力部、１８・・・活性炭データ入力部。
【図１】
2008055351.tif 000003
【図２】
2008055351.tif 000004
【図３】
2008055351.tif 000005